(57)【要約】【課題】一つの操作で複数のキーの同時入力操作に対応するキーコードを出力すること。【解決手段】ＥＣ／ＫＢＣ１１２内のシリアル受信ＩＣ１１２Ｂは、特定のタッチスイッチから操作信号が入力された場合に、前記特定のタッチスイッチの操作に対して割り当てられている複数のキーの同時入力操作に対応するキーコードをキーボードコントローラ１１２Ａに出力する。【選択図】      図７
2009151724.tif 000002
【特許請求の範囲】
【請求項１】
筐体と、
前記筐体内に設けられた表示装置と、
前記筐体の内部、前記表示装置の隣接する二つの辺の近傍、且つ各辺に沿って二つ以上ずつ配置された静電容量の変化に応じて操作信号を出力する複数のタッチスイッチと、
キーボードからキーコードが入力されるキーボードコントローラと、
前記複数のタッチスイッチの操作信号が入力されるコントローラであって、特定のタッチスイッチから操作信号が入力された場合に、前記特定のタッチスイッチの操作に対して割り当てられている複数のキーの同時入力操作に対応するキーコードを前記キーボードコントローラに出力するコントローラとを具備することを特徴とする情報処理装置。
【請求項２】
前記特定のタッチスイッチを含む複数のタッチスイッチが連続して操作された場合、前記コントローラは、前記対応する複数のキーの同時入力操作に対応するキーコードを出力しないことを特徴とする請求項１記載の情報処理装置。
【請求項３】
前記特定のタッチスイッチを含む複数のタッチスイッチが連続して操作された場合、対応するイベント信号を出力することを特徴とする請求項２に記載の情報処理装置。
【請求項４】
筐体と、
前記筐体内に設けられた表示装置と、
前記筐体の内部、前記表示装置の隣接する二つの辺の近傍、且つ各辺に沿って二つ以上ずつ配置された静電容量の変化に応じて操作信号を出力する複数のタッチスイッチと、
前記複数のタッチスイッチ中の特定のタッチスイッチが操作された場合に、前記表示装置に表示されている画像を拡大する手段と、
前記画像の拡大後、前記タッチスイッチ中の一方向に配置された複数のタッチスイッチを連続的に操作することで拡大倍率を変更する手段とを具備することを特徴とする情報処理装置。
【請求項５】
筐体と、
前記筐体内に設けられた表示装置と、
前記筐体の内部、前記表示装置の隣接する二つの辺の近傍、且つ各辺に沿って二つ以上ずつ配置された静電容量の変化に応じて操作信号を出力する複数のタッチスイッチと、
前記複数のタッチスイッチ中の一方向に配置された何れかのタッチスイッチを操作しながら、前記一方向とは直交する方向に配置された何れかのタッチスイッチを一つ以上連続的に操作することで、前記表示装置に表示されている画像中の前記二つの操作位置に対応する画像領域を拡大する手段とを具備することを特徴とする情報処理装置。
【請求項６】
前記表示装置に表示されている画像が拡大している場合、記タッチスイッチ中の一方向に配置された複数のタッチスイッチを連続的に操作することで、前記表示領域に表示されている領域を変更することを特徴とする請求項４または請求項５のいずれかに記載の情報処理装置。
【請求項７】
筐体内に設けられた表示装置と、前記筐体の内部に前記表示装置の隣接する二つの辺の近傍、且つ各辺に沿って二つ以上ずつ配置された静電容量の変化に応じて操作信号を出力する複数のタッチスイッチとを有する情報処理装置の入力制御方法であって、
特定のタッチスイッチから操作信号が入力された場合に、前記特定のタッチスイッチの操作に対して割り当てられている複数のキーの同時入力操作に対応するキーコードを出力することを特徴とする入力制御方法。
【請求項８】
前記特定のタッチスイッチを含む複数のタッチスイッチが連続して操作された場合、前記複数のキーの同時入力操作に対応するキーコードを出力しないことを特徴とする請求項７記載の入力制御方法。
【請求項９】
前記特定のタッチスイッチを含む複数のタッチスイッチが連続して操作された場合、対応するイベント信号を出力することを特徴とする請求項８に記載の情報処理装置。
【請求項１０】
筐体内に設けられた表示装置と、前記筐体の内部に前記表示装置の隣接する二つの辺の近傍、且つ各辺に沿って二つ以上ずつ配置された静電容量の変化に応じて操作信号を出力する複数のタッチスイッチとを有する情報処理装置の入力制御方法であって、
前記複数のタッチスイッチ中の一つのタッチスイッチが操作された場合に、前記表示装置に表示されている画像を拡大して表示する手段と、
前記画像の拡大表示後、前記タッチスイッチ中の一方向に配置された複数のタッチスイッチを連続的に操作することで拡大倍率を変更することを特徴とする入力制御方法。
【請求項１１】
筐体内に設けられた表示装置と、前記筐体の内部に前記表示装置の隣接する二つの辺の近傍、且つ各辺に沿って二つ以上ずつ配置された静電容量の変化に応じて操作信号を出力する複数のタッチスイッチとを有する情報処理装置の入力制御方法であって、
前記複数のタッチスイッチ中の一方向に配置された何れかのタッチスイッチを操作しながら、前記一方向とは直交する方向に配置された何れかのタッチスイッチを一つ以上連続的に操作することで、前記表示装置に表示されている画像中の前記二つの操作位置に対応する画像領域を拡大することを特徴とする入力制御方法。
【請求項１２】
前記表示装置に表示されている画像が拡大している場合、記タッチスイッチ中の一方向に配置された複数のタッチスイッチを連続的に操作することで、前記表示領域に表示されている領域を変更することを特徴とする請求項１０または請求項１１のいずれかに記載の入力制御方法。
【発明の詳細な説明】
【技術分野】
【０００１】
本発明は、操作性の改善を図った情報処理装置および入力制御方法に関する。
【背景技術】
【０００２】
現在、大きさが６インチ程度のＬＣＤを搭載し、筐体が今までのノードブック型コンピュータに比べ小さく、ＰＤＡ（Personal Digital Assistance）より僅かに大ききい程度のコンピュータ、所謂ウルトラモバイルパーソナルコンピュータ（ＵＭＰＣ）用のＣＰＵやチップセットの開発が行われている。このＵＭＰＣにインストールされるオペレーティングシステムは、従来のノートブック型コンピュータと同様に、Windows（登録商標）である。
【０００３】
ＵＭＰＣの大きさは小さいので、搭載されるキーボードのキートップを小さくしたり、搭載するキーの一部を省いたり、またはキーボードを搭載しない場合もある。そのため、Windowsの操作で使われるキー入力が行いにくい、またはキー入力できないことがあった。
【０００４】
特許文献１には、スクリーンの周囲に分布するコマンドキーを有する端末装置が開示されている。
【特許文献１】特開平６−２０８４３３号公報
【発明の開示】
【発明が解決しようとする課題】
【０００５】
上述した方法では、あるコマンドに対応する信号を出力するだけであり、複数のキーの同時入力操作に対応するキーコードを出力することが出来ない。
【０００６】
また、スクリーンの周囲に配置されたコマンドキーは単機能であり、出来るだけ筐体を小さくしたＵＭＰＣには不向きである。
【０００７】
本発明の目的は、一つの操作で複数のキーの同時入力操作に対応するキーコードを出力することが可能な情報処理装置および入力制御方法を提供することにある。
【０００８】
また、本発明の別の目的は、一つのスイッチに対して複数の機能を割り当てることが可能な情報処理装置および入力制御方法を提供することにある。
【課題を解決するための手段】
【０００９】
本発明の一例に係わる情報処理装置は、筐体と、
前記筐体内に設けられた表示装置と、前記筐体の内部、前記表示装置の隣接する二つの辺の近傍、且つ各辺に沿って二つ以上ずつ配置された静電容量の変化に応じて操作信号を出力する複数のタッチスイッチと、キーボードからキーコードが入力されるキーボードコントローラと、前記複数のタッチスイッチの操作信号が入力されるコントローラであって、特定のタッチスイッチから操作信号が入力された場合に、前記特定のタッチスイッチの操作に対して割り当てられている複数のキーの同時入力操作に対応するキーコードを前記キーボードコントローラに出力するコントローラとを具備することを特徴とする。
【００１０】
本発明の一例に係わる情報処理装置は、筐体と、筐体内に設けられた表示装置と、筐体の内部、且つ表示装置の周囲に配置された静電容量の変化に応じて操作信号を出力する複数のタッチスイッチと、前記複数のタッチスイッチ中の特定のタッチスイッチが操作された場合に、前記表示装置に表示されている画像を拡大する手段と、前記画像の拡大後、前記タッチスイッチ中の一方向に配置された複数のタッチスイッチを連続的に操作することで拡大倍率を変更する手段とを具備することを特徴とする。
【００１１】
本発明の一例に係わる情報処理装置は、筐体と、筐体内に設けられた表示装置と、筐体の内部、且つ表示装置の周囲に配置された静電容量の変化に応じて操作信号を出力する複数のタッチスイッチと、前記複数のタッチスイッチ中の一方向に配置された何れかのタッチスイッチを操作しながら、前記一方向とは直交する方向に配置された何れかのタッチスイッチを一つ以上連続的に操作することで、前記表示装置に表示されている画像中の前記二つの操作位置に対応する画像領域を拡大する手段とを具備することを特徴とする。
【発明の効果】
【００１２】
本発明によれば、一つの操作で複数のキーの同時入力操作に対応するキーコードを出力することが可能にある。
【００１３】
また、別の本発明によれば、一つのスイッチに対して複数の機能を割り当てることが可能にある。
【発明を実施するための最良の形態】
【００１４】
本発明の実施の形態を以下に図面を参照して説明する。
【００１５】
図１は、本発明の第１の実施形態に係わる情報処理装置としてのウルトラモバイルパーソナルコンピュータ（ＵＭＰＣ）の概略構成を示す図である。  
パーソナルコンピュータ１は、コンピュータ本体１１と、ディスプレイユニット（表示部）１４とから構成されている。ディスプレイユニット１２には、表示パネルであるＬＣＤ（Liquid Crystal Display）１３が組み込まれている。
【００１６】
コンピュータ本体１１は薄い箱形の筐体を有しており、その筐体上面中央部には、キーボード２０が設けられる。
【００１７】
ディスプレイユニット１２は、図２に示すように、軸１５ｂを中心にディスプレイユニット１２を回転させるためのヒンジ１５に取り付けられている。
【００１８】
また、ヒンジ１５は、ディスプレイユニット１２をコンピュータ本体１１の上面を覆う閉塞位置とコンピュータ本体１１の上面が露出する開放位置との間を回動自在に変化するように、軸１５ａを中心にディスプレイユニット１２を回転させるための、コンピュータ本体１１の奥手側の端部に設けられたヒンジ（支持部）１４に取り付けられている。
【００１９】
ＬＣＤ１３の周囲に複数のタッチスイッチ３０ａ〜３０Ｂが配置されている。タッチスイッチ３０ａ〜３０Ｂは、図３に示すように、ディスプレイユニット１２の筐体１２Ａの内側に設けられている。
【００２０】
タッチスイッチ３０ａ〜３０Ｂは、静電容量の変化を検出することによってコンピュータ本体１１にデータを入力するスイッチである。タッチスイッチ３０ａ〜３０Ｂは、キャパシタを有する。タッチスイッチの表面に例えば指が触れるとキャパシタの静電容量が変化し、その変化をスイッチコントローラが検出する。スイッチコントローラはタッチスイッチの何れかの静電容量が変化したのかをエンベデッドコントローラ／キーボードコントローラＩＣに伝達する。そして、入力されたデータに応じて所定の動作が本パーソナルコンピュータによって実行される。
【００２１】
なお、複数のタッチスイッチは、必ずしも周囲に配置されている必要はなく、ＬＣＤ１３の隣接する辺の近傍に配置されていればよい。
【００２２】
また、図１に示す状態から、ヒンジ１４，１５によって、ディスプレイユニット１２を１８０度回転させた後、ディスプレイユニット１２を閉塞位置に回動させることで、図４に示す状態にすることが出来る。図４に示す状態では、キーボード２０が露出していない。なお、本装置は、本体の向きを検出するセンサを有し、検出した本体の向きに応じて、ＬＣＤ１３に表示される画像が正常に見えるようにすることが出来る。そのため、図４に示した縦長状態から９０゜傾けた横長状態にしても取り扱うことが出来る。
【００２３】
次に、図５を参照して、本コンピュータのシステム構成について説明する。
【００２４】
本コンピュータは、図５に示されているように、ＣＰＵ１０２、ノースブリッジ１０４、主メモリ１１４、グラフィクスコントローラ１０８、サウスブリッジ１０６、ＢＩＯＳ−ＲＯＭ１３６、ハードディスクドライブ（ＨＤＤ）１２６、およびエンベデッドコントローラ／キーボードコントローラＩＣ（ＥＣ／ＫＢＣ）１１２、等を備えている。
【００２５】
ＣＰＵ１０２は本コンピュータの動作を制御するために設けられたプロセッサであり、ハードディスクドライブ（ＨＤＤ）１２６から主メモリ１１４にロードされる、オペレーティングシステム（ＯＳ）および各種アプリケーションプログラムを実行する。
【００２６】
また、ＣＰＵ１０２は、ＢＩＯＳ−ＲＯＭ１３６に格納されたシステムＢＩＯＳ（Basic Input Output System）も実行する。システムＢＩＯＳはハードウェア制御のためのプログラムである。
【００２７】
ノースブリッジ１０４はＣＰＵ１０２のローカルバスとサウスブリッジ１０６との間を接続するブリッジデバイスである。ノースブリッジ１０４には、主メモリ１１４をアクセス制御するメモリコントローラも内蔵されている。また、ノースブリッジ１０４は、ＡＧＰ（Accelerated Graphics Port）バスなどを介してグラフィクスコントローラ１０８との通信を実行する機能も有している。
【００２８】
グラフィクスコントローラ１０８は本コンピュータのディスプレイモニタとして使用されるＬＣＤ１３を制御する表示コントローラである。このグラフィクスコントローラ１０８はビデオメモリ（ＶＲＡＭ）を有しており、ＯＳ／アプリケーションプログラムによってビデオメモリに描画された表示データから、ＬＣＤ１３に表示すべき表示イメージを形成する映像信号を生成する。グラフィクスコントローラ１０８によって生成された映像信号はライン１に出力される。
【００２９】
スイッチ３０ａ〜３０Ｂ内に設けられたキャパシタの静電容量の変化をスイッチコントローラ３１が検出すると、スイッチコントローラ３１は１６ビットのシリアル信号でエンベデッドコントローラ／キーボードコントローラＩＣ（ＥＣ／ＫＢＣ）に、何れかのスイッチからイベント信号が出力されたかを伝達する。１６ビットのシリアル信号はイベント信号を出力したスイッチに対応するビットが”Ｈｉ”になることによって、何れかのスイッチがイベント信号を出力したか判別することができる。
【００３０】
本装置の場合、キーボードコントローラの機能を有するＥＣ／ＫＢＣ１１２にスイッチコントローラ３１からの信号が入力される。特定の位置のタッチスイッチ３０ａに例えば、Ｃｔｒｌ＋Ａｌｔ＋Ｄｅｌキーのような特殊な入力操作を割り当て、特定のスイッチが操作された場合にＣｔｒｌ＋Ａｌｔ＋Ｄｅｌキーのような複数の同時入力のようなキーコードをシステムに通知することができる。
【００３１】
タッチスイッチ３０ａ〜３０Ｂへの入力操作をシステムに通知するための構成を図６に示す。図６に示すように、スイッチコントローラ３１からの信号がＥＣ／ＫＢＣ１１２内のシリアル受信ＩＣ１１２Ｂに入力される。操作されたタッチスイッチが特定のキーボードのキー入力が割り当てられている特定のスイッチの場合、シリアル受信ＩＣ１１２Ｂは、キーボードコントローラ１１２Ａに対して対応するキーコードを出力する。キーボードコントローラ（ＫＢ）１１２Ａは、キーコードに対応するキーイベントがＨＩＤドライバ２０１を介してシステムに入力される。なお、スイッチに対して、単独のキーを割り当て、スイッチが操作された場合に割り当てられたキーに対応するキーコマンドをシステムに通知することも出来る。
【００３２】
また、操作されたタッチスイッチが特定のキーボードのキー入力が割り当てられていないスイッチの場合、ＥＣ／ＫＢＣ１１２内のシリアル受信ＩＣ１１２Ｂからセンサドライバ２０２を経由してシステムに操作されたスイッチのイベント信号が通知される。
【００３３】
また、図７にＥＣ／ＫＢＣ１１２でのタッチスイッチに係わる処理の手順を示す。  
図７に示すように、スイッチが押されたら（ステップＳ１１）、特定の場所が操作されたか否かを判別する（ステップＳ１２）。特定の場所が操作されたと判別した場合（ステップＳ１２のＹＥＳ）、ＥＣ／ＫＢＣ１１２のキーボードコントローラ（ＫＢＣ）１１２Ａからシステムに対応するキーコードを通知する。特定の場所ではないと判別した場合（ステップＳ１２のＮｏ）、シリアル受信ＩＣスイッチドライバにスイッチが操作されたことを通知する（ステップＳ１４）。この時、操作されたスイッチと操作時間の情報を通知することが好ましい。スイッチの操作時間に応じて異なる操作を割り当てることが出来るからである。
【００３４】
本実施形態のような機能を実装することにより、キーコードを出力することができるため、キーボードの無い製品では、Cnt+Alt+Delを出力するキーが必要であったが、本センサの特定のスイッチで実現可能となる。
【００３５】
以下の実施形態では、上述したタッチスイッチ３０が複数配置された情報処理装置によって実現される機能をいくつか説明する。
【００３６】
［第２の実施形態］
本実施形態は、画面のZoom（拡大・縮小）の操作性を向上する機能を説明する。なお、本実施形態では、ＬＣＤ１３を縦長の状態で操作した場合を説明する。  
なお、拡大表示は、オペレーティングシステムからグラフィクスコントローラ１０８に送られる表示用のデータを常駐する拡大表示アプリケーションがフックし、拡大表示アプリケーションが拡大倍率に応じて表示用のデータの一部を拡大している拡大表示用のデータをＧＰＵに送信することで行われる。なお、グラフィクスコントローラ１０８の中には、拡大表示機能を有する物があるので、この場合にはコマンドをグラフィクスコントローラ１０８に送信することで拡大表示が行われる。  
先ず、図８（Ａ）に示すように、第１の指Ｆ１でタッチスイッチ上の筐体に触れ、Y軸（またはX軸）の位置を決定する。
【００３７】
次に、図８（Ｂ）に示すように、第１の指Ｆ１が筐体に触れた状態で、タッチスイッチ上の筐体に触れ、第２の指Ｆ２で、X軸（またはY軸）のZoomしたい範囲をスライドすることにより、範囲を決定する
すると、図９に示すように、図８で決定した範囲を中心となる範囲がＺｏｏｍのエリアと認識し、このエリアをＬＣＤ１３の画面比率でＺｏｏｍする。
【００３８】
例えば、最初にＹ軸を指定する場合に人差し指でタッチスイッチ上の筐体に触れ、Ｘ軸を指定する場合に親指でタッチスイッチ上の筐体に触れと操作しやすい。
【００３９】
なお、図１０、１１に示すように、ＬＣＤ周囲のタッチスイッチをタッチする順により、Ｚｏｏｍ解除、もとのＺｏｏｍとすることで、ユーザにはより操作しやすいＺｏｏｍを提供することができる
拡大表示を解除して通常表示にする場合に、指Ｆ３でＬＣＤ１３の右側上部に配置されたタッチスイッチを操作した（図１０（Ａ））後に、指Ｆ４でＬＣＤ１３の右側下部に配置されたタッチスイッチを操作する（図１０（Ｂ））。  
通常表示から拡大表示に戻す場合に、指Ｆ５でＬＣＤ１３の右側下部に配置されたタッチスイッチ３０を操作した（図１１（Ａ））後に、指Ｆ６でＬＣＤ１３の右側上部に配置されたタッチスイッチ３０を操作する（図１１（Ｂ））。  
本実施形態のように、複数点の認識ができるセンサをＬＣＤの周辺に配置し、複数の指で操作することにより、画面のＺｏｏｍ等を簡単にできる。
【００４０】
［第３の実施形態］
本実施形態では、タッチによるスイッチ機能とスワイプ（なぞる操作）によるスイッチ機能を同じセンサ領域に２重に設定する機能について説明する。
【００４１】
図１に示すように、画面の周囲に静電センサが配置され、ＬＣＤ１３下方に、スイッチ３０ｇ〜３０ｎの８つのセンサが設けられている。
【００４２】
スイッチ３０ｇ〜３０ｎのそれぞれを触れた場合、それぞれに対応した機能を呼び出し、スイッチとして機能する。
【００４３】
さらに、スイッチ３０ｇ〜３０ｎをなぞる操作に機能を割り当てることができる。例えば、スイッチ３０ｇ〜３０ｎに向かってなぞる操作（スワイプ）を行なうと、スワイプ操作に割り当てた機能を呼び出す。
【００４４】
ボタン操作とスワイプ操作の区別は、センサに触れている時間によって行なう。
【００４５】
例えば、スイッチ３０ｇを０．５秒以上タッチしていることを検出するとボタン１として動作し、０．５秒未満の時間で検出エリアがスイッチ３０ｇ、３０ｈ、…、３０ｎと移動しているときに、スワイプとして検出する。
【００４６】
スワイプ動作については、スワイプの操作パターンを認識して、それぞれのパターンに対して機能を割り当てても良い。
【００４７】
例えば、
スイッチ３０ｇ→スイッチ３０ｎ：スワイプ１  
スイッチ３０ｎ→スイッチ３０ｇ：スワイプ２  
スイッチ３０ｇ→スイッチ３０ｎ→スイッチ３０ｇ：スワイプ３
の機能を割り当てる。
【００４８】
特定のスイッチに与えられた操作がボタン操作であるかスワイプ操作であるかを識別するための処理の手順を図１２を参照して説明する。なお、この処理はセンサドライバ２０２によって行われる。  
スイッチ３０ｇの操作を検出した場合（ステップＳ２１）、操作時間が０．５秒以上であるか否かを判別する（ステップＳ２２）。０．５秒以上であると認識した場合（ステップＳ２２のＹｅｓ）、ボタン操作であると認識し、スイッチ３０ｇに割り当てられた機能を呼び出す（ステップＳ２３）。０．５秒以上ではないと判別した場合（ステップＳ２２のＮｏ）、スイッチ３０ｇを含むスワイプ操作が割り当てられている他のスイッチへの移動の検出を行ったか否かを判別する（ステップＳ２４）。
【００４９】
移動の検出を行ったと判別した場合（ステップＳ２４のＹＥＳ）、割り当てられているスワイプ機能を呼び出す（ステップＳ２５）。移動の検出を行っていないと判別した場合（ステップＳ２４のＮＯ）、機能を呼び出さないで処理を終了する。
【００５０】
本機能によれば、同じエリアを操作するときに、操作方法によって呼び出す機能を変えることが可能になる。その結果、センサーエリアを有効利用することができ、同等のスイッチを実現するために必要な、センサーエリアを小型化することができる
［第４の実施形態］
本実施形態では、第３の実施形態で示したスワイプ機能をモードに応じて異なる操作を割り当てた例について説明する。なお、以下の実施形態では、ＬＣＤ１３を横長の状態で操作した場合を説明する。    
例えば、第２の実施形態に記載した方法を用いて、図１３に示すように、Ｚｏｏｍ表示を行う。そして、スイッチ３０ｇ〜３０ｊに対してスワイプ操作を行う。すると、図１４に示すように、ＬＣＤ１３内に表示されているコンテンツを横方向にスクロールを行うことが出来る。なお、縦方向のスイッチをなぞるように操作することで、縦方向にスクロールすることが出来る。
【００５１】
また、図１５に示すように、端部にあるスイッチ３０ｆを操作することで、Zoomモードに切り替えた後、図１６に示すようなスイッチ３０ｇ〜３０ｊを連続的になぞるように操作を行なうことによって、拡大画面のスクロールを横方向に行なうことができる。なお、縦方向のスイッチをなぞるように操作することで、縦方向にスクロールすることが出来る。
【００５２】
コンテンツのスクロールと拡大画面の移動何れかの操作しか行なうことができなかったため、各操作について手順が多いか、分かりにくいなどの問題があった。本機能により画面拡大表示中に、拡大画面の移動とコンテンツのスクロール操作を“なぞる”操作により直感的に分かりやすくい方法で容易に操作できる。
【００５３】
［第５の実施形態］
デジタイザまたはタッチパネル機能を持った画面で、拡大・縮小モードのとき、ペンまたは指でポイントした位置を中心に拡大・縮小を行う。画面周辺に配置したタッチスイッチ上のボタンを使用して拡大・縮小モードへモード切替する機能について説明する。
【００５４】
本装置のＬＣＤの表面にはセンサが配置され、タッチパネル機能を有する。
【００５５】
図１７に本発明の第５の実施形態に係わる情報処理装置のシステム構成を示す。  
図１７に示すように、ＬＣＤの表面に設けられたセンサからの信号はサウスブリッジが内蔵するＵＳＢコントローラに入力される。本装置のその他の構成は、図５を参照して説明した構成と同様なので説明を省略する。
【００５６】
本装置では、ユーザが特定のスイッチ、例えばスイッチ３０ｎを操作することでＺｏｏｍモードに設定される。その後、ＬＣＤ１３上に触れることで、触れた位置を中心に拡大される。また、ユーザが特定のセンサを操作することで、Ｚｏｏｍモードが解除される。
【００５７】
特定のエリアをZoomする際の手順を以下に説明する。
【００５８】
・Zoom In（拡大）時
図１８に示すように、指で、センサのズームモード用スイッチ３０ｎを操作し、Ｚｏｏｍモードに設定する。なお、ＬＥＤを点灯させるなどして、ユーザにＺｏｏｍモードであることを通知することが好ましい。  
次に、図１９に示すように、ペンまたは指で拡大したい画面上の場所をポイントする。すると、タッチパネルがポイント位置を検出して、位置をシステムに通知する  
すると、図２０に示すように、ポイントした場所を中心に画面が拡大される。
【００５９】
Zoomの解除について説明する。
【００６０】
指で、図２１に示すように、センサのズームモード用スイッチを再度操作し、Ｚｏｏｍモードを解除する。すると、図２２に示すように、拡大表示が解除され、ＬＣＤ１３に表示される画面が通常表示に戻る。なお、ＬＥＤを消灯させるなどして、ユーザにＺｏｏｍモードが解除されたことを通知することが好ましい。
【００６１】
なお、本実施形態の変形例として以下の形態が考えられる。
【００６２】
ズームモード（拡大）とズームモード（縮小）の２つのモードを持ち、それぞれのモードに入るためのボタンをアサインする。ズームモード（拡大）では、ポイント位置を中心に拡大し、ズームモード（縮小）では、ポイント位置を中心に縮小する。なお、通常表示（１倍）以下には縮小しない。
【００６３】
ペンや指でポイントするごとに拡大・縮小の倍率を変化させる。
【００６４】
ＬＥＤでＺｏｏｍモードをユーザに通知するのではなく、ズームモードの表示を画面上にアイコン表示する。
【００６５】
ズームモードで表示を行っている場合に、倍率を表示する。
【００６６】
ユーザ操作を単純化するため、拡大時の倍率を固定する。
【００６７】
本実施形態によれば、以下の点で、画面の閲覧の際に直感的ですばやい操作が行える。
【００６８】
ポイントをすることで拡大する場所を指定できる。また、ズームモードを持つことで、以下の点で有利となる。デジタイザ・タッチパネルの入力を通常のポインティング操作と共用できる。タッチした瞬間に拡大するため、すばやい操作が可能となる。ペンや指を離しても、拡大表示を継続できる。
【００６９】
［第６の実施形態］
本実施形態では、タッチスイッチを指でスライドすることにより、画面の拡大倍率を変化させる機能について説明する。  
特定のエリアをZoomする際の手順について説明する。  
先ず、図２３に示すように、指で、センサのズームモード用スイッチ３０ｎを操作し、Ｚｏｏｍモードに設定する。図２４に示すように、拡大画面が表示される。なお、ＬＥＤを点灯させるなどして、ユーザにＺｏｏｍモードであることを通知することが好ましい。  
次いで、指でＬＣＤ１３右側近傍のタッチスイッチ３０ａ〜３０ｆの配置領域をスライドすることにより、Zoomのサイズを自由に設定する。この時、図２５に示すように、タッチスイッチ３０ａ〜３０ｆを下側から上側に操作することで拡大倍率を徐々に大きくすることが出来る。また、図２６に示すように、タッチスイッチ３０ａ〜３０ｆを上側から下側に操作することで拡大倍率を徐々に小さくすることが出来る。  
Zoomの解除する場合について説明する。  
図２７に示すように、指でセンサのズームモード用スイッチ３０ｎを再度操作し、Ｚｏｏｍモードを解除する。なお、ＬＥＤを消灯させるなどして、ユーザにＺｏｏｍモードが解除されたことを通知することが好ましい。そして、画面が通常表示に戻る。
【００７０】
本実施形態によれば、直感的な操作で拡大縮小操作が行える。また、画面周辺で操作するため、表示のエリアを制御のために損なうことなく、拡大縮小操作が可能になる。また、複数配置されているセンサをスライダのように用いることにより、連続した拡大縮小操作が行える。
【００７１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７２】
【図１】第１の実施形態に係わる情報処理装置の外観を示す斜視図。
【図２】第１の実施形態に係わる情報処理装置の外観を示す斜視図。
【図３】第１の実施形態に係わるタッチスイッチの配置位置を示す断面図。
【図４】図１のディスプレイユニットを回転させると共に、ディスプレイを閉塞位置に回動させた状態を示す図。
【図５】図１に示す情報処理装置のシステム構成を示すブロック図。
【図６】タッチスイッチへの入力操作をシステムに通知するための構成を示すブロック図。
【図７】図５に示すＥＣ／ＫＢＣでのタッチスイッチの操作に係わる処理の手順を示す図。
【図８】第２の実施形態に係わる拡大表示方法の手順を示す図。
【図９】図８に示す操作によって、拡大表示された状態を示す図。
【図１０】拡大表示を通常表示に戻す手順を示す図。
【図１１】拡大表示から通常表示に戻した後、拡大表示にする手順を示す図。
【図１２】第３の実施形態に係わる、特定のスイッチに与えられた操作がボタン操作であるかスワイプ操作であるかを識別するための処理の手順を示すフローチャート。
【図１３】第４の実施形態に係わる、拡大表示された状態を示す図。
【図１４】第４の実施形態に係わる、スワイプ操作によってＬＣＤ中のコンテンツをスクロールした状態を示す図。
【図１５】第４の実施形態に係わる、Zoomモードに切り替えた状態を示す図。
【図１６】第４の実施形態に係わる、スワイプ操作によってＬＣＤの表示をスクロールした状態を示す図。
【図１７】第５の実施形態に係わる情報処理装置のシステム構成を示すブロック図。
【図１８】第５の実施形態に係わる、Zoomモードに切り替えた状態を示す図。
【図１９】第５の実施形態に係わる、ＬＣＤ中の拡大したい場所を指で触れている状態を示す図。
【図２０】第５の実施形態に係わる、図１９で触れた場所を中心に拡大表示を行っている状態を示す図。
【図２１】第５の実施形態に係わる、拡大表示を解除するためにズームモード用スイッチを操作している状態を示す図。
【図２２】図２１に示した操作により、通常表示状態になった状態を示す図。
【図２３】第６の実施形態に係わる、拡大表示するためにズームモード用スイッチを操作している状態を示す図。
【図２４】図２３の操作により、拡大表示されている状態を示す図。
【図２５】タッチスイッチを下側から上側に操作することで、図２３に示した状態から拡大倍率を大きくした状態を示す図。
【図２６】タッチスイッチを上側から下側に操作することで、図２３に示した状態から拡大倍率を小さくした状態を示す図。
【図２７】拡大表示を解除し、通常表示状態になった状態を示す図。
【符号の説明】
【００７３】
１１…コンピュータ本体，１２…ディスプレイユニット，１２Ａ…筐体，１３…ＬＣＤ，１４．１５…ヒンジ，１６…ＬＣＤ，２０…キーボード，３０ａ〜３０Ｂ…タッチスイッチ，３１…スイッチコントローラ，１０２…ＣＰＵ，１０４…ノースブリッジ，１０６．ＢＩＯＳ…サウスブリッジ，１０６…サウスブリッジ，１０８…グラフィクスコントローラ，１１２…エンベデッドコントローラ／キーボードコントローラＩＣ，１１２Ａ…キーボードコントローラ，１１２Ｂ…シリアル受信ＩＣ，１１４…主メモリ，１２６…ハードディスクドライブ，１３６…ＢＩＯＳ−ＲＯＭ，２０１…ＨＩＤドライバ，２０２…センサドライバ。
【図１】
2009151724.tif 000003
【図２】
2009151724.tif 000004
【図３】
2009151724.tif 000005
【図４】
2009151724.tif 000006
【図５】
2009151724.tif 000007
【図６】
2009151724.tif 000008
【図７】
2009151724.tif 000009
【図８】
2009151724.tif 000010
【図９】
2009151724.tif 000011
【図１０】
2009151724.tif 000012
【図１１】
2009151724.tif 000013
【図１２】
2009151724.tif 000014
【図１３】
2009151724.tif 000015
【図１４】
2009151724.tif 000016
【図１５】
2009151724.tif 000017
【図１６】
2009151724.tif 000018
【図１７】
2009151724.tif 000019
【図１８】
2009151724.tif 000020
【図１９】
2009151724.tif 000021
【図２０】
2009151724.tif 000022
【図２１】
2009151724.tif 000023
【図２２】
2009151724.tif 000024
【図２３】
2009151724.tif 000025
【図２４】
2009151724.tif 000026
【図２５】
2009151724.tif 000027
【図２６】
2009151724.tif 000028
【図２７】
2009151724.tif 000029